(57)【特許請求の範囲】
【請求項１】
トイレブースの出入口に装着されるドアであって、出入口の片側にはコ型アームを揺動出来るように取付けし、このコ型アームの上下アーム先端にはドアパネルの上下端を連結し、そしてドアパネル上端に取着したスライダー又は吊車を上レールに遊嵌して該ドアパネルが回転しながらスライドして開閉する回転スライドドアにおいて、上記下アームの先端にドアパネルの傾きを是正する高さ調整機能を備えた支持構造にてドアパネル下端を支え、上レール内の一方端には全開した際のストッパーとなるクッション材を該上レールから露出しないように取着し、そしてドアパネルには両側端に突出するロック棒を備え、両ロック棒は１個の持ち手の回転軸の左右に設けた取着軸に基部を連結し、持ち手を１８０度回転することで突出するロック棒の先端が嵌るロック穴をコ型アームの縦桟及び正面パネル側端に設けたことを特徴とするトイレブース用回転スライドドア。
【発明の詳細な説明】
【０００１】
【発明の属する技術分野】
本発明はトイレブースに使用される回転式スライドドアに関するものである。
【０００２】
【従来の技術】
トイレブースに取り付けられるドアにも色々あって、一般にはスライド式吊戸、折れ戸、開き戸が使用されているが、上記スライド式吊戸にあってはトイレ幅が大きくなり、少なくとも吊戸幅の２倍以上が必要である。又、吊戸はスライドする為に開閉時には左右方向の力が必要となり、押したり引いたりする場合に比べて面倒である。特に車椅子に乗っている身体障害者であれば、吊戸の開閉操作は容易でない。
【０００３】
蝶番を介して取り付けした開き戸の場合も、ドアの幅が大きくなれば開閉操作が面倒であり、車椅子に乗る身体障害者にとっては不便な点が多い。その点、折れ戸は開閉操作が比較的容易であるが、中央の繋ぎ部が安定せず、閉じた場合であってもガタツキが生じる。折れ戸には繋ぎ部に落とし棒を取着して床面に設けた穴に嵌入しなくてはならず、トイレドアの開閉にこのような操作を伴うのでは一段と不便である。
【０００４】
【本発明が解決しようとする課題】
このように従来のトイレ用ドアには上記のごとき問題がある。本発明が解決しようとする課題はこれら問題点であり、幅広のドアであっても容易に開閉操作が出来、衝撃を伴うことなく閉じることが出来ると共にガタ付くことなく安定してロックがなされ、更に傾きが是正出来るように調整可能に取り付けしたドアを有すトイレブース用回転スライドドアを提供する。
【０００５】
【課題を解決するための手段】
本発明のトイレブース用回転スライドドアは１枚の大きなドアパネルを回転しながらスライドして出入口を開閉するものであり、このドアパネルは出入口の片側に揺動可能に取り付けしたコ型アームの先端に軸支され、又ドアパネル上端には上レールにガイドされる走行する吊車を備えている。この場合、吊車に代わって上レールをガイドとしてスライドするスライダーを取り付けする場合もある。コ型アームの下アームには支持ピンが突出し、この支持ピンは高さ調整可能な取り付け構造としてドアパネル下端の穴に嵌入して該ドアパネルを支えている。従ってドアパネルの高さ並びに傾きは支持ピンの突出高さによって調整がなされる。
【０００６】
大きなドアパネルがコ型アームに取り付けられる為に、僅かな寸法誤差に基づくドアパネルの傾きが大きく外観を損なうことになり、又ドアパネルの回転に支障を来すこともある。ここで支持ピンの高さ調整構造は特に限定せず、ネジ構造であったり、スぺーサーを介在した構造とすることも出来る。そして、ドアパネルが全開した際に衝撃を伴わないように上レール内の片端にはストッパーとなるクッション材を備えている。このクッション材は上レール内に設けている為に外観が損なわれることはない。又ロック装置を備えており、該ロック装置はドアパネルの両サイドへ突出するロック棒を有し、両ロック棒は１個のハンドル操作で突出する構造と成っている。以下、本発明に係る実施例を図面に基づいて詳細に説明する。
【０００７】
【実施例】
図１はトイレブース用回転スライドドアの外観図であり、同図の１はドアパネル、２はコ型アーム、３は上レールを表している。コ型アーム２はトイレブースを構成する正面パネルの縁（側端）に取着した蝶番４、４に取り付けられて揺動することが出来、コ型アーム２の上アーム５はドアパネル１の上端に、下アーム６はドアパネル下端にそれぞれ連結し、下アーム６によって支持されている。
【０００８】
そしてドアパネル１の上端には吊車７が取着されており、該吊車７は断面コ型の側片の下端を内側へ屈曲した走行片に載って走行することが出来る。吊車の形態は特に限定しないが、同図に示している吊車７は垂直車輪を本体の両側に取り付けしている。そして本体から下方へ延びる吊りボルト８によってドアパネル１を吊設した状態にある。
【０００９】
そこで、コ型アーム２が蝶番４を中心として揺動するならば、上アーム５及び下アーム６に引っ張られてドアパネル１は回転し、同時に上レール３に沿ってスライドすることが出来る。すなわち、ドアパネル１の持ち手９を押圧するならば、該ドアパネル１は吊車７の吊りボルト８を中心として回転すると共に、コ型アーム２の揺動に伴ってスライドし、コ型アーム２の縦桟１０側へ寄せられる。同図の１１はトイレブースの正面パネル上端に取着している笠木であり、該笠木１１に上レール３が取り付けられている。
【００１０】
図２はドアパネル１を閉じた場合の縦断面図であり、（ａ）は吊車７が位置する箇所を、（ｂ）は上アーム５の先端が位置する箇所をそれぞれ表している。該ドアパネル１は笠木１１の幅内に収まり、上下アーム５、６の先端に取り付けされている。吊車７は垂直車輪１２、１２…が上レール３の走行片１３、１３に載って転動し、本体１４から垂下している吊りボルト８にドアパネル１が連結している。又ドアパネル１の上端からはクッション材１５を備えたストッパー１６が取着され、該ストッパー１６はドアパネル１が閉じた際に上レール３の側面に当接する。
【００１１】
同じくドアパネル１の上端に受け板１７が取着され、上アーム５の先端に取り付けした連結ピン１８は受け板１７に形成している穴に嵌っている。この連結ピン１８と下アーム６の先端に設けている支持ピンは同軸線上に位置していて、ドアパネル１はこれらを軸として回転することが出来る。又同図（ｂ）の１９はストッパーとして機能するクッション材であり、ドアパネル１が開いた際にコ型アーム２の縦桟１０に当たらないように上レール３内の片端に設けている。このクッション材１９には吊車７の本体１４が当たって衝撃を生じることなくドアパネルを開くことが出来る。
【００１２】
図３（ａ）、（ｂ）は下アーム６によってドアパネル１を支持している場合を表している。（ａ）に示すように下アーム６には支持ピン２０が上方へ突出し、支持ピン２０はドアパネル１の下端に取着した受け板２１の凹溝２２に嵌っている。ところで、支持ピン２０は下アーム６に取着されているが、下部に設けているネジが下アーム６のネジ穴に螺合していて、回転することで突出高さを調整することが出来る。従って下アーム６が傾いてドアパネル１の取り付けが正しく行われない場合には、この支持ピン２０の突出高さを調整することで是正出来る。
【００１３】
（ｂ）はドアパネル１の下端を支える別の実施例であり、ドアパネル１の下端に取着した受け板２３の凹溝にはピン２４が嵌り、そして受け板２３と下アーム６との間には２枚の座金２５、２５が嵌っている。従って、座金２５の枚数を増減するならばドアパネル１の高さ並びに傾きを調整することが出来る。ここで、ドアパネル１はその重量の一部を作用しながら上記支持ピン２０又はピン２４を中心として回転することになる訳であるが、トイレブースでは掃除の際に水や薬品を使用することが多い為に、このような支持構造とすることでスラストベアリングを使用するよりもサビ等の問題もなくメンテが容易である。勿論、これら支持構造は単なる１具体例であり、同図に示す場合に限定しない。
【００１４】
図４はドアパネル１が全開した際に上記クッション材１９に当たっている場合である。ドアパネル１はコ型アーム２の揺動に伴って回転し、上レール３とほぼ垂直状態になって開くことが出来、この際、上レール３内の片端に設けているクッション材１９に吊車７が当たって停止する。従って衝撃を伴うことなくドアパネル１は静かに開くことが出来、そして該クッション材１９は上レール３の内部に取り付けしている為に、トイレブースの外観が損なわれない。吊車７の本体には前後にガイドローラ２６、２６が取着され、２個のガイドローラ２６、２６が上レール３にガイドされて走行し、又本体１４から一方へ延びてクッション材１９に当たる当たり部２７を有している。
【００１５】
図５はドアパネルに取り付けしているロック装置を表している。持ち手９は回転することが出来、回転軸２８を中心として左右に取着軸２９ａ、２９ｂが設けられ、この取着軸にはロック棒３０ａ、３０ｂの基部が連結している。ロック棒３０ａの基部は取着軸２９ａに連結し、一方のロック棒３０ｂの基部は取着軸２９ｂに連結している。そこで、持ち手９を１８０度回転するならば両取着軸２９ａ、２９ｂの位置が入れ代わってロック棒３０ａ、３０ｂはドアパネル１の側端から突出することが出来る。
【００１６】
突出したロック棒３０ａが嵌入する為のロック穴３１がコ型アーム２の縦桟１０に形成され、一方のロック棒３０ｂ先端が嵌入する為のロック穴３２はトイレブースの正面パネル側端に設けられている。このようにドアパネル１の両側端から突出するロック棒３０ａ、３０ｂがロック穴３１、３２に嵌ることでドアパネル１は安定して閉じられる。以上述べたように、本発明のトイレブース用回転スライドドアはドアパネルが揺動するコ型アームに取り付けされて上レールに沿ってスライドし、ドアパネルの高さ並びに傾きを調整出来るように下端部の支持構造を有したものであり、次のような効果を得ることが出来る。
【００１７】
【発明の効果】
本発明のトイレブース用回転スライドドアのドアパネルはコ型アームの揺動に伴って回転しながらスライドして開閉することが出来、該ドアパネルが大きくてもドアパネルの持ち手を軽く押圧することで容易に開口することが出来る。従って開口幅が大きな身体障害者用のトイレブースであっても開閉操作に支障を来すことはない。そして、コ型アームの下アームにはドアパネル下端を支えて高さを調整することが出来る構造としている為に、該ドアパネルの傾きを是正することが出来る。すなわち、コ型アームの取り付け誤差や寸法誤差等でドアパネルが傾斜することがあるが、本発明ではこの傾きを無くして外観的にも好ましく、しかもドアパネルの回転運動に支障を来すことはない。
【００１８】
さらに全開した際にはドアパネルに当たるクッション材が衝撃を緩和し、ドアパネル面にキズを付けることはなく、しかも該クッション材は上レール内に取り付けしている為に外部には露出せず、外観が損なわれることはない。一方、ドアパネルにはその両側へ突出するロック棒が備えられ、両ロック棒は１個の持ち手を回転することで操作することが出来る為に安定したロックが得られる。
【図面の簡単な説明】
【図１】本発明のトイレブース用回転スライドドア。
【図２】本発明のトイレブース用回転スライドドアの上部側縦断面。
【図３】本発明のトイレブース用回転スライドドアの下部側縦断面。
【図４】ドアパネルが全開して上レールに設けたクッション材に当たった場合。
【図５】ドアパネルに備えているロック装置。
【符号の説明】
１  ドアパネル
２  コ型アーム
３  上レール
４  蝶番
５  上アーム
６  下アーム
７  吊車
８  吊りボルト
９  持ち手
10  縦桟
11  笠木
12  垂直車輪
13  走行片
14  本体
15  クッション材
16  ストッパー
17  受け板
18  連結ピン
19  クッション材
20  支持ピン
21  受け板
22  凹溝
23  受け板
24  ピン
25  座金
26  ガイドローラ
27  当たり部
28  回転軸
29  取着軸
30  ロック棒
31  ロック穴
32  ロック穴
【図１】
0003750098.tif 000002
【図２】
0003750098.tif 000003
【図３】
0003750098.tif 000004
【図４】
0003750098.tif 000005
【図５】
0003750098.tif 000006